(57)【要約】【課題】浴室が金属を含む壁で構成されていても、電波式のリモコンによって、浴室に関連する浴室機器を遠隔操作することができる浴室システムを提供することを目的とする。【解決手段】金属を含む壁によって構成される浴室と、前記浴室に関連する浴室機器と、前記浴室機器を動作させる電波式のリモコンと、前記リモコンからの信号を受信する受信部と、を備え、前記浴室の前記壁は、前記リモコンからの電波（無線信号）が通過可能な電波通過部を有することを特徴とする浴室システムが提供される。【選択図】図１
2019045020.tif 000002
【特許請求の範囲】
【請求項１】
金属を含む壁によって構成される浴室と、
前記浴室に関連する浴室機器と、
前記浴室機器を動作させる電波式のリモコンと、
前記リモコンからの信号を受信する受信部と、
を備え、
前記浴室の前記壁は、前記リモコンからの電波が通過可能な電波通過部を有することを特徴とする浴室システム。
【請求項２】
前記電波通過部は、前記浴室の前記壁に設けられた格子状の金属部により形成されることを特徴とする請求項１記載の浴室システム。
【請求項３】
前記浴室の前記壁は、前記浴室を囲む第１〜第４の側壁を有し、
前記電波通過部は、前記第１〜第４の側壁のそれぞれに設けられることを特徴とする請求項２記載の浴室システム。
【請求項４】
前記受信部は、前記浴室の内部に設けられることを特徴とする請求項１〜３のいずれか１つに記載の浴室システム。
【請求項５】
前記受信部は、前記浴室に設置される浴槽よりも上方に配置されることを特徴とする請求項４記載の浴室システム。
【発明の詳細な説明】
【技術分野】
【０００１】
本発明の態様は、一般的に、浴室システムに関する。
【背景技術】
【０００２】
浴室においては、例えば、空調機器や給湯器などの機器が利用されている。これらの機器を操作するためのリモコンは、例えば有線通信を行うものであり、浴室又は浴室の傍（脱衣所など）に設けられる。この場合、使用者は、機器の使用に際して、その都度、浴室や浴室の傍まで行く必要があり、使い勝手が悪いことがあった。
【０００３】
また、近年においては、浴室に関連する機器（浴室機器）の多機能化や多種化が進んでいる。例えば、浴室の空調機器として、換気機能、衣類乾燥機能、浴室暖房機能を有する浴室換気暖房乾燥機が開発されている。浴室暖房機能によって浴室を暖めることにより、ヒートショック（温度差によって血圧が大きく変動し心筋梗塞や脳梗塞が引き起こされること）を抑制できる。また、例えば、浴室には、掃除機器が設けられることもある。この掃除機器は、浴槽に自動的に洗剤や湯を散布して、浴槽を掃除する。このように、浴室に関連する機器の多機能化や多種化が進む中で、これらの機器を操作するためのリモコンが浴室や浴室の傍に設置されていると、使用者が浴室や浴室の傍まで行く頻度が増え、使い勝手が悪くなってしまう恐れがある。
【先行技術文献】
【特許文献】
【０００４】
【特許文献１】特開２００７−１８７３３９号公報
【発明の概要】
【発明が解決しようとする課題】
【０００５】
特許文献１では、赤外線を用いた無線操作システムが提案されている。この無線操作システムにおいては、赤外線の受信器が浴室及び脱衣所の２箇所に設置される。これにより、リモコンによって機器を操作することができる範囲が広くなる。しかし、赤外線は、建物の壁を通過しにくいため、受信器から離れた部屋（例えばリビングルームなど）からは、機器を操作することが困難である。
【０００６】
これに対して、建物の壁を通過しやすい電波による無線通信を用いる方法が考えられる。しかし、このような電波は、金属等によって反射されるため、金属を含む壁で構成された浴室へは届きにくい場合がある。
【０００７】
本発明は、かかる課題の認識に基づいてなされたものであり、浴室が金属を含む壁で構成されていても、電波式のリモコンによって、浴室に関連する浴室機器を遠隔操作することができる浴室システムを提供することを目的とする。
【課題を解決するための手段】
【０００８】
第１の発明は、金属を含む壁によって構成される浴室と、前記浴室に関連する浴室機器と、前記浴室機器を動作させる電波式のリモコンと、前記リモコンからの信号を受信する受信部と、を備え、前記浴室の前記壁は、前記リモコンからの電波が通過可能な電波通過部を有することを特徴とする浴室システム。
【０００９】
この浴室システムによれば、電波通過部を設けることにより、リモコンからの電波が、金属を含む壁によって遮られることを抑制し、受信部へ到達しやすくなる。これにより、浴室が金属を含む壁で構成されていても、電波式のリモコンによって浴室機器を、浴室から離れた部屋から遠隔操作することができる。
【００１０】
第２の発明は、第１の発明において、前記電波通過部は、前記浴室の前記壁に設けられた格子状の金属部により形成されることを特徴とする浴室システムである。
【００１１】
この浴室システムによれば、壁の強度を保ちながら、リモコンからの電波を、壁を通過させ、浴室機器を遠隔操作することができる。浴室の壁の強度を顕著に落とすことなく、電波式のリモコンによって浴室機器を遠隔操作することができる。また、金属部が格子状である場合、形状が単純なため、浴室の壁の製造が簡単となる。
【００１２】
第３の発明は、第２の発明において、前記浴室の前記壁は、前記浴室を囲む第１〜第４の側壁を有し、前記電波通過部は、前記第１〜第４の側壁のそれぞれに設けられることを特徴とする浴室システムである。
【００１３】
この浴室システムによれば、各側壁に電波通過部が設けられることにより、どの方向からでも、リモコンからの電波を、壁を通過させて受信部まで届きやすくすることができる。また、受信部の配置の自由度を高めることができる。
【００１４】
第４の発明は、第１〜第３のいずれか１つの発明において、前記受信部は、前記浴室の内部に設けられることを特徴とする浴室システムである。
【００１５】
この浴室システムによれば、困難な配線工事等の発生を抑えることができ、受信部の設置、増設、およびメンテナンスなどにおける作業性を向上させることができる。また、使用者は、浴室の内部にリモコンを持ち込んで、浴室の内部からも浴室機器を操作することができる。
【００１６】
第５の発明は、第４の発明において、前記受信部は、前記浴室に設置される浴槽よりも上方に配置されることを特徴とする浴室システムである。
【００１７】
この浴室システムによれば、リモコンからの電波が、浴槽内の水によって遮られることを抑制し、受信部へ到達しやすくなる。また、浴室内で使用される水が受信部に掛かることを抑制できる。
【発明の効果】
【００１８】
本発明の態様によれば、浴室が金属を含む壁で構成されていても、電波式のリモコンによって、浴室に関連する浴室機器を遠隔操作することができる浴室システムが提供される。
【図面の簡単な説明】
【００１９】
【図１】実施形態に係る浴室システムを例示する側面図である。
【図２】実施形態に係る浴室システムを例示するブロック図である。
【図３】実施形態に係る浴室システムを例示する斜視図である。
【図４】実施形態に係る浴室システムが設けられた建物の一部を例示する平面図である。
【図５】実施形態に係る浴室の壁を例示する断面図である。
【図６】実施形態に係る浴室の床を例示する断面図である。
【図７】実施形態に係る浴室の電波通過部を例示する平面図である。
【図８】実施形態に係る別の浴室システムを例示する側面図である。
【図９】実施形態に係る別の浴室システムを例示する側面図である。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
図１は、実施形態に係る浴室システムを例示する側面図である。  
図２は、実施形態に係る浴室システムを例示するブロック図である。  
図１に示すように、実施形態に係る浴室システム１００は、浴室１０と、浴室１０に関連する浴室機器２０と、リモコン３０と、受信部４０と、を有する。
【００２２】
浴室１０は、建物の躯体５０に設けられる。浴室１０は、例えば、金属を含む壁１１で構成される。また、浴室１０の内部には、浴槽１５が設けられる。
【００２３】
浴室１０に関連する浴室機器２０は、浴室１０の内部又は浴室１０の外部に設けられる。実施形態において、浴室機器２０は少なくとも１つ設けられる。浴室機器２０は、複数設けられてもよい。
【００２４】
図２に示すように、本願明細書において、浴室１０に関連する浴室機器２０という範囲には、空調機器２１、掃除機器２２、給湯器２３、浴槽１５の排水栓２４、浴室の照明２５、マッサージ機器２６、及び、これらの動作を制御する制御部２７を含む。なお、図１には、浴室機器２０として、空調機器２１及び制御部２７のみが図示されている。
【００２５】
空調機器２１は、浴室１０の天井に設けられる。空調機器２１は、温風を吹き出して浴室１０内を暖める暖房機能、風（例えば温風）を吹き出して浴室１０内に吊るされた衣類等を乾燥させる乾燥機能、及び、浴室１０内を換気する換気機能、の少なくともいずれかを有する。空調機器２１は、例えば浴室換気暖房乾燥機である。空調機器２１は、換気扇でもよい。
【００２６】
掃除機器２２は、浴室１０の内部に設けられる。掃除機器２２は、例えば、浴槽１５の内壁に洗剤や水（湯）を散布する機器である。または、掃除機器２２は、浴室１０の床（洗い場）に水や除菌水等を散布する機器でもよい。
【００２７】
給湯器２３は、例えば浴室１０の外部に設けられ、浴槽１５や浴室１０内の水栓装置に湯を供給する。
【００２８】
マッサージ機器２６は、例えば浴槽１５に設けられ、浴槽１５内の水（湯）に泡を発生させる気泡発生装置である。または、マッサージ機器２６は、浴槽１５内に水流を発生させる水流発生装置である。浴室機器２０は、吐水装置であってもよい。例えば、吐水装置から浴槽１５内の使用者の肩に向けて湯が吐出される（肩湯）。
【００２９】
排水栓２４は、浴槽１５に設けられる。排水栓２４が開くことで、浴槽１５内の水や湯が排出される。照明２５は、浴室１０の例えば天井等に設けられる照明である。
【００３０】
制御部２７は、例えばマイコンなどを含む回路装置である。制御部２７からの信号に基づいて、その他の浴室機器２０（空調機器２１、掃除機器２２、給湯器２３、排水栓２４、照明２５及びマッサージ機器２６など）は、動作することができる。また、浴室機器２０という範囲には、信号を中継する機器が含まれてもよい。
【００３１】
リモコン３０は、浴室機器２０を動作させる電波式のリモコンである。すなわち、使用者は、リモコン３０を操作することにより、浴室機器２０の動作を操作することができる。浴室機器２０が複数設けられた場合、リモコン３０は、複数の浴室機器２０の少なくともいずれかを動作させる。
【００３２】
リモコン３０は、例えば浴室１０の外部に設置される。リモコン３０は、例えば、リビングルームやキッチンに設置される。リモコン３０は、持ち運び可能であってもよいし、浴室１０の内部や、浴室１０に隣接する脱衣所等に設置されてもよい。
【００３３】
受信部４０は、リモコン３０からの電波（無線信号）を受信するアンテナ等の電波受信モジュールを有する。
【００３４】
使用者がリモコン３０に設けられたスイッチやボタン等を操作すると、リモコン３０は、使用者の操作に応じて電波（無線信号）を送信する。受信部４０は、リモコン３０から送信された電波（無線信号）を受信すると、浴室機器２０の動作を制御する信号を浴室機器２０へ送信する。浴室機器２０は、受信部４０からの信号に基づいて動作する。
【００３５】
図２に示す例では、受信部４０は、制御部２７へ信号を送信する。制御部２７は、受信部４０からの信号を受信すると、その他の浴室機器２０（空調機器２１、掃除機器２２、給湯器２３、排水栓２４、照明２５及びマッサージ機器２６など）に、その動作を制御する信号を送信する。
【００３６】
電波通信には、例えば、３００メガヘルツ（ＭＨｚ）以上５ギガヘルツ（ＧＨｚ）以下程度の周波数帯域の電波が用いられる。リモコン３０と受信部４０との間の電波通信には、例えば２．４ＧＨｚの電波が用いられる。受信部４０と制御部２７との間の通信は、例えば、有線通信である。または、受信部４０と制御部２７との間の通信は、無線通信（例えば電波通信）であってもよい。制御部２７とその他の浴室機器２０との通信は、有線通信であっても無線通信（例えば電波通信）であってもよい。
【００３７】
図３は、実施形態に係る浴室システムを例示する斜視図である。  
図４は、実施形態に係る浴室システムが設けられた建物の一部を例示する平面図である。  
前述したように、浴室１０は金属を含む壁１１によって構成される。なお、壁１１によって構成された浴室１０という範囲には、浴室１０に壁１１とは別に、ドア１３や窓が設けられる場合も含む。本願明細書において、壁１１とは、ドア１３、窓、および、浴室機器２０が設置される開口部などを含まない領域をいう。
【００３８】
図３及び図４に示すように、壁１１は、第１〜第４の側壁１１ａ〜１１ｄと、天井１１ｅ（天井板）と、床１１ｆ（床板）と、によって構成される。  
第１〜第４の側壁１１ａ〜１１ｄは、浴室１０の四方を囲み、浴室１０の側面を形成する。天井１１ｅは、浴室１０の天面を形成する。床１１ｆは、浴槽１５の側方に位置する洗い場の床であり、浴室１０の底面を形成する。浴室１０は、第１〜第４の側壁１１ａ〜１１ｄと、天井１１ｅと、床１１ｆと、によって区画された空間である。
【００３９】
第１〜第４の側壁１１ａ〜１１ｄ、天井１１ｅ及び床１１ｆの少なくともいずれかは、金属を含む。例えば、第１〜第４の側壁１１ａ〜１１ｄ、天井１１ｅ及び床１１ｆは、それぞれ、金属部（例えば金属板）を有する。これにより、浴室１０の強度を向上させることができる。
【００４０】
図５は、実施形態に係る浴室の壁を例示する断面図である。  
図５は、図４に示すＡ１−Ａ１線断面の一部を例示している。  
第４の側壁１１ｄは、金属部Ｍ１と、樹脂部Ｒ１と、を有する。金属部Ｍ１は、後述する電波通過部を除いて、例えば、壁面の略全体に沿って広がり、板状である。樹脂部Ｒ１は、金属部Ｍ１の浴室１０側の表面を覆う。第１〜第３の側壁１１ａ〜１１ｃ及び天井１１ｅの構造についても、同様である。なお、浴室の外側に位置する建物の躯体５０は、一般に非金属で構成されるため、リモコン３０からの電波は、躯体５０に遮られにくい。
【００４１】
図６は、実施形態に係る浴室の床を例示する断面図である。  
図６は、図４に示すＡ２−Ａ２線断面の一部を例示している。  
床１１ｆは、架台Ｆ１と、金属部Ｍ２と、樹脂部Ｒ２と、を有する。  
架台Ｆ１は、例えば、鋼材などの角材を縦横に組合わせて構成されたフレーム状である。架台Ｆ１は、支持脚Ｆ２を有し、浴室１０が設置される建物の躯体５０の上に設けられる。支持脚Ｆ２は、架台Ｆ１のうち鉛直方向に延びる部材である。
【００４２】
金属部Ｍ２は、架台Ｆ１の上に設けられる。金属部Ｍ２は、後述する電波通過部を除いて、例えば、床面の略全体に沿って広がり、板状である。石膏ボード、木質系ボード、硬質ポリウレタンフォームなどの芯材を２枚の鋼板（金属部）で挟んだ構造を用いてもよい。
【００４３】
樹脂部Ｒ２は、金属部Ｍ２の上に設けられる。樹脂部Ｒ２は、例えば、金属部Ｍ２の略全体を覆う板状である。樹脂部Ｒ２は、樹脂で構成された防水パンや表面意匠シートが積層された構造を有する。
【００４４】
以上説明したように、浴室１０は、金属を含む壁１１で囲まれている。リモコン３０と受信部４０との間の通信に用いられる電波は、金属によって遮られる（反射される）ことがある。このため、受信部４０が設置される位置によっては、リモコン３０からの電波が壁１１の金属によって遮られ、受信部４０は、リモコン３０からの電波を受信できない場合がある。使用者が、建物内の浴室から離れた部屋から、リモコン３０で浴室機器２０を操作しようとしたときに、部屋によっては浴室機器２０を遠隔操作できない場合がある。
【００４５】
これに対して、実施形態においては、図１に示すように、壁１１は、リモコン３０からの電波（無線信号）が通過可能な電波通過部１２を有する。電波通過部１２は、壁１１のうち、金属を含まない領域である。電波通過部１２は、開口部であってもよいし、樹脂等の非金属材料で形成されていてもよい。例えば壁１１の金属部（金属板）に開口が設けられることで、電波通過部１２が形成される。この開口部（電波通過部１２）の大きさは、リモコン３０の電波（無線信号）の波長に基づいて定めることができる。例えば、電波通過部１２の最大寸法Ｌａは、リモコン３０の電波の波長の０．５倍以上である。なお、電波通過部１２の最大寸法Ｌａとは、その電波通過部１２が設けられた壁面（側壁、天井又は床）に対して平行な方向における長さの最大値である。電波通過部１２の形状は、任意であるが、例えば略円形又は矩形であり、正方形が望ましい。
【００４６】
リモコン３０からの電波は、例えば電波Ｗ５〜Ｗ７のように電波通過部１２を通過することができる。これにより、浴室１０が金属を含む壁１１で構成されていても、電波式のリモコン３０によって浴室機器２０を、浴室１０から離れた部屋から遠隔操作することができる。例えば、図１の例のように、受信部４０が、浴室１０の内部に設けられていても、リモコン３０からの電波は、浴室１０の外部から浴室１０の内部へ進行することができ、受信部４０へ到達することができる。
【００４７】
また、例えば、受信部４０を浴室１０から離れたリビングルーム等に設置する場合、受信部４０と浴室機器２０とを接続する配線が長くなり、その配線を建物の躯体５０と壁との間に通す作業が非常に困難となる場合がある。そこで、受信部４０を浴室１０の内部に設けることにより、困難な配線工事等の発生を抑えることができ、受信部４０の設置、増設およびメンテナンスなどにおける作業性を向上させることができる。また、受信部４０が浴室１０の内部に設けられた場合、使用者は、浴室１０の内部にリモコン３０を持ち込んで、浴室１０の内部からも浴室機器２０を操作することができる。
【００４８】
リモコン３０からの電波は、浴槽１５内に溜められる水（湯）によっても遮られる（反射される）ことがある。このため、受信部４０が浴室１０内の下方に設置されると、リモコン３０からの電波が浴槽内の水によって遮られ、受信部４０は、リモコン３０からの電波を受信しにくくなる場合がある。そこで、受信部４０は、少なくとも浴槽１５よりも上方に配置されることが望ましい。これにより、浴槽内の水によってリモコン３０からの電波が遮られることを抑制することができる。また、浴室１０内で使用される水が受信部４０に掛かることを抑制できる。
【００４９】
浴室１０内に設けられる鏡や、浴室１０に隣接する脱衣所に設置される洗濯機などの機器も、リモコン３０からの電波を遮る場合がある。受信部４０は、これらの鏡や機器よりも高い位置に配置されることが、より望ましい。
【００５０】
電波通過部１２は、１つであってもよいし、複数設けられてもよい。例えば、図４に示すように、第１〜第４の側壁１１ａ〜１１ｄのそれぞれに電波通過部１２（電波通過部１２ａ〜１２ｄ）が設けられる。すなわち、第１の側壁１１ａに電波通過部１２ａが設けられ、第２の側壁１１ｂに電波通過部１２ｂが設けられ、第３の側壁１１ｃに電波通過部１２ｃが設けられ、第４の側壁１１ｄに電波通過部１２ｄが設けられる。
【００５１】
浴室システム１００が設置される建物の間取りには、様々な場合が想定される。例えば、リモコン３０が設置されるリビングルームと浴室システム１００との位置関係は、建物の間取りによって異なる。このため、リモコン３０と受信部４０との位置関係も様々な場合が想定される。これに対して、第１〜第４の側壁１１ａ〜１１ｄのそれぞれが電波通過部１２を有することにより、どの方向からでも、リモコン３０からの電波を、壁１１を通過させて受信部４０まで届きやすくすることができる。また、受信部４０の配置の自由度を高めることができる。
【００５２】
また、図１に示すように、床１１ｆに電波通過部１２（電波通過部１２ｆ）が設けられてもよい。これにより、浴室１０が建物の２階以上の階に設けられた場合でも、浴室１０が設けられた階の下階から浴室機器２０を遠隔操作しやすくなる。
【００５３】
また、天井１１ｅに電波通過部１２（電波通過部１２ｅ）が設けられてもよい。これにより、浴室１０が設けられた階の上階から浴室機器２０を遠隔操作しやすくなる。
【００５４】
電波通過部１２の一例について図７を参照して説明する。  
図７は、実施形態に係る浴室の電波通過部を例示する平面図である。  
壁１１が有する金属部（例えば上述の金属部Ｍ１、Ｍ２）は、格子状の領域Ｒを有する。すなわち、金属部の領域Ｒは、第１方向Ｄ１に延びる複数の第１部分８１と、第２方向Ｄ２に延びる複数の第２部分８２と、を有する。複数の第１部分８１は、複数の第２部分８２と交差する。
【００５５】
１つの電波通過部１２は、隣接する２つの第１部分８１と、隣接する２つの第２部分８２と、によって囲まれた領域である。これにより、複数の電波通過部１２が形成される。例えば、隣接する第１部分８１同士の間の距離Ｌ１は、第１部分８１の第２方向Ｄ２の長さＬ２以上である。また、例えば、隣接する第２部分８２同士の間の距離Ｌ３は、第２部分８２の第１方向Ｄ１の長さＬ４以上である。
【００５６】
このように、電波通過部１２は、浴室１０の壁１１に設けられた格子状の金属部によって形成される。これにより、壁１１の強度を保ちながら、リモコン３０からの電波を、壁１１を通過させることができる。浴室の壁１１の強度を顕著に落とすことなく、電波式のリモコン３０によって浴室機器２０を遠隔操作することができる。また、金属部が格子状である場合、形状が単純なため、浴室の壁１１の製造が簡単となる。
【００５７】
第１〜第４の側壁１１ａ〜１１ｄ、天井１１ｅ及び床１１ｆのそれぞれにおいて、壁面の全体にわたって金属部を格子状としてもよい。第１〜第４の側壁１１ａ〜１１ｄ、天井１１ｅ及び床１１ｆのそれぞれにおいて、金属部の一部分のみを格子状としてもよい。
【００５８】
図８は、実施形態に係る別の浴室システムを例示する側面図である。  
図８に示す浴室システム１０１においては、受信部４０は、壁１１よりも上方に配置される。より具体的には、受信部４０は、第１〜第４の側壁１１ａ〜１１ｄのそれぞれの上端よりも上に位置する。受信部４０は、天井１１ｅよりも上に位置する。例えば、図８に示す電波Ｗ１、Ｗ２のように、リモコン３０からの電波は、壁１１の上方に回り込むことによっても、受信部４０へ到達することができる。従って、受信部４０はリモコン３０からの電波を、さらに受信しやすくなる。
【００５９】
また、受信部４０を壁１１よりも上方に配置することにより、浴室１０が設置された階の上階から浴室機器２０を遠隔操作しやすくなる。例えば、１階に浴室１０が設置された住宅の場合、２階から浴室機器２０を遠隔操作しやすくなる。
【００６０】
なお、受信部４０の位置は、浴室１０の鉛直上方でなくてもよい。例えば、浴室１０に隣接する部屋（脱衣所など）の天井付近に、受信部４０が設置されてもよい。
【００６１】
図８に示す例では、受信部４０、制御部２７及び空調機器２１の一部は、浴室上部空間ＵＳに配置されている。浴室上部空間ＵＳとは、浴室１０の天井１１ｅと、建物の躯体５０の一部５１と、の間の空間をいう。躯体５０の一部５１は、浴室１０の上方（鉛直上方）に位置する部分である。すなわち、浴室上部空間ＵＳの下方は、天井１１ｅで仕切られており、浴室上部空間ＵＳの上方は、躯体５０の一部５１で仕切られている。
【００６２】
このように受信部４０や制御部２７を浴室上部空間ＵＳに配置することにより、受信部４０が例えば浴室に隣接する部屋等に露出しないため、デザイン性を損ねることなく、電波式のリモコン３０によって浴室機器２０を遠隔操作することが可能となる。
【００６３】
また、図８に示したように、受信部４０は、浴室機器２０（この例では空調機器２１）よりも上方に設けられる。すなわち、受信部４０は、浴室機器２０の上端よりも上に位置する。浴室上部空間ＵＳに複数の浴室機器２０が設けられた場合、受信部４０は、各浴室機器２０の上端よりも高い位置に設けられる。これにより、浴室機器２０が金属部材を含んでいても、リモコン３０からの電波が浴室機器２０によって遮られて受信部４０に届きにくくなることを抑制できる。
【００６４】
ここで、受信部４０は、保持部材４２により保持されている。保持部材４２は、例えばＬ字状であり、一部が天井１１ｅに固定され、別の一部が受信部４０に固定される。つまり、受信部４０は、保持部材４２によって間接的に天井１１ｅに固定されている。受信部４０は、間接的に躯体５０の一部５１に固定されてもよい。保持部材４２を用いることで、受信部４０の位置（高さなど）を調整することができる。
【００６５】
また、保持部材４２は、非金属材料で形成される。非金属材料は、樹脂を含まない材料であり、例えば樹脂である。これにより、リモコン３０からの電波が保持部材４２によって遮られて受信部４０に届きにくくなることを抑制できる。
【００６６】
図８に示す例では、受信部４０は、電波通過部１２ｅの上（鉛直上方）に設けられる。受信部４０の少なくとも一部は、鉛直方向において電波通過部１２ｅの一部と重なる。これにより、浴室１０の内部を経由するリモコン３０からの電波が、より受信部４０へ届きやすい。
【００６７】
図９は、実施形態に係る別の浴室システムを例示する側面図である。  
図９に示す浴室システム１０２においては、受信部４０は、浴室１０の底面ＢＦよりも下方に配置される。例えば、受信部４０は、第１〜第４の側壁１１ａ〜１１ｄのそれぞれの下端よりも下に位置する。また、受信部４０は、例えば、床１１ｆの金属部（金属板）よりも下に位置する。例えば、リモコン３０からの電波は、浴室１０の底面ＢＦの下方に回り込んで受信部４０へ到達することができる。従って、受信部４０はリモコン３０からの電波を、さらに受信しやすくなる。
【００６８】
なお、浴室１０の底面ＢＦとは、図６に関して説明した、床１１ｆの底面をいう。底面ＢＦが凹凸を有する場合、受信部４０が底面ＢＦよりも下方に配置された状態とは、底面ＢＦの一部より下方（例えば鉛直下方）に受信部４０が配置されていればよい。
【００６９】
図９に示す例では、受信部４０は、床下空間ＬＳに配置されている。床下空間ＬＳとは、浴室１０の床１１ｆと、建物の躯体５０の一部５２と、の間の空間をいう。躯体５０の一部５２は、浴室１０の下方（鉛直下方）に位置する部分である。すなわち、床下空間ＬＳの上方は、床１１ｆで仕切られており、床下空間ＬＳの下方は、躯体５０の一部５２で仕切られている。
【００７０】
このように受信部４０や制御部２７などを浴室上部空間ＵＳ又は床下空間ＬＳに配置することにより、受信部４０や制御部２７が室内に露出しないため、デザイン性を損ねることなく、電波式のリモコン３０によって浴室機器２０を遠隔操作することが可能となる。
【００７１】
受信部４０を床下空間ＬＳに設置する場合、受信部４０を設置する施工が難しくなる場合がある。これに対して、実施形態においては、受信部４０は、浴室１０の底面ＢＦを構成する部材の一部に取り付けられる。これにより、底面ＢＦを構成する部材に受信部４０を取り付けた状態で、床１１ｆを設置すれば、受信部４０を設置することができるため、施工性が向上する。なお、浴室１０の底面ＢＦを構成する部材とは、例えば、架台Ｆ１、及び、架台Ｆ１の上に直接載置される部材である。
【００７２】
図９に示す例では、受信部４０は、電波通過部１２ｆの下（鉛直下方）に設けられる。例えば、受信部４０の一部は、鉛直方向において電波通過部１２ｆの一部と重なる。これにより、浴室１０の内部を経由するリモコン３０からの電波が、より受信部４０へ届きやすい。
【００７３】
電波通過部１２ｆを設けることにより、受信部４０と浴室機器２０との間の無線通信が可能となる。ただし、受信部４０と浴室機器２０との間の通信は、有線通信でもよい。有線接続を用いた場合には、受信部４０と浴室機器２０との通信をより確実に行うことができる。また、浴室システムの製造コストを抑制することができる。
【００７４】
また、実施形態において、受信部４０は、制御部２７を介さずに、その他の浴室機器２０の動作を制御する信号を浴室機器２０へ送信してもよい。例えば、図９に示すように無線電波Ｗ４によって、または有線接続によって、受信部４０と浴室機器２０（この例では空調機器２１）との通信が行われる。この場合、制御部２７は設けられなくてもよい。または、制御部２７は、その他の浴室機器２０のいずれかと一体であってもよい。
【００７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１０ 浴室、１１ 壁、  １１ａ〜１１ｄ 第１〜第４の側壁、  １１ｅ 天井、  １１ｆ 床、  １２、１２ａ〜１２ｆ 電波通過部、  １３ ドア、  １５ 浴槽、  ２０ 浴室機器、  ２１ 空調機器、  ２２ 掃除機器、  ２３ 給湯器、  ２４ 排水栓、  ２５ 照明、  ２６ マッサージ機器、  ２７ 制御部、  ３０ リモコン、  ４０ 受信部、  ４２ 保持部材、  ５０ 躯体、  ５１、５２ 躯体の一部、  ８１ 第１部分、  ８２ 第２部分、  １００、１０１、１０２ 浴室システム、  ＢＦ 底面、  Ｆ１ 架台、  Ｆ２ 支持脚、  ＬＳ 床下空間、  Ｍ１、Ｍ２ 金属部、  Ｒ１、Ｒ２ 樹脂部、  ＵＳ 浴室上部空間
【図１】
2019045020.tif 000003
【図２】
2019045020.tif 000004
【図３】
2019045020.tif 000005
【図４】
2019045020.tif 000006
【図５】
2019045020.tif 000007
【図６】
2019045020.tif 000008
【図７】
2019045020.tif 000009
【図８】
2019045020.tif 000010
【図９】
2019045020.tif 000011